(57)【要約】【課題】室内における通風に近い状態を模擬体感できる通風体感装置、通風による涼感と空調による涼感とを比較できる涼感比較体感装置を提供する。【解決手段】通風体感室１、温湿度調整室２、排気室３を備える通風体感装置Ａであって、前記通風体感室Ａ内の対向する壁面９２側に温湿度調整室２、壁面９３側に排気室３が配置され、温湿度調節室２には空調機７が設けられ、排気室３には排気装置８が設けられ、通風体感室１と温湿度調整室２との間の壁面９２には流入側開口部１１が、通風体感室１と排気室３との間の壁面９３には流出側開口部１０が設けられ、温湿度調整室１で調整された空気が、流入側開口部１０を通り通風体感室１へ移動し、更に流出側開口部１０を通して排気室３に移動する。【選択図】  図１
2008089786.tif 000002
【特許請求の範囲】
【請求項１】
通風体感室、温湿度調整室、排気室を備える通風体感装置であって、
前記通風体感室は、天井、壁、床で囲まれた室内空間であり、前記通風体感室内の対向する壁面に対して、それぞれ温湿度調整室と排気室が配置されており、
温湿度調節室には空調機が設けられ、排気室には排気装置が設けられ、
通風体感室と温湿度調整室との間の壁面には流入側開口部が、通風体感室と排気室との間の壁面には流出側開口部が設けられ、温湿度調整室で調整された空気が、流入側開口部を通り通風体感室へ移動し、更に流出側開口部を通り排気室に移動することが可能となっていることを特徴とする通風体感装置。
【請求項２】
前記温湿度調整室に、流入側開口部から通風体感室に送風可能な送風機が設けられていることを特徴とする請求項１記載の通風体感装置。
【請求項３】
前記温湿度調整室の温度が通風体感室の温度よりセ氏略１度〜５度程度低い温度に設定されていることを特徴とする請求項１又は請求項２記載の通風体感装置。
【請求項４】
前記流出側開口部が通風体感室の壁面の天井付近に設けられていることを特徴とする請求項１乃至請求項３のいずれかに記載の通風体感装置。
【請求項５】
前記流入側開口部が通風体感室の壁面の床面付近に設けられていることを特徴とする請求項１乃至請求項４のいずれかに記載の通風体感装置。
【請求項６】
前記流入側開口部及び前記流出側開口部が、それぞれ通風体感室と温湿度調整室、通風体感室と排気室との間の壁面の幅方向の略全体に亘って設けられていることを特徴とする請求項１乃至請求項５のいずれかに記載の通風体感装置。
【請求項７】
前記通風体感室が、通風体感室と略同一の温湿度になされた緩衝室を介して出入りするようになされていることを特徴とする請求項１乃至請求項６のいずれかに記載の通風体感装置。
【請求項８】
請求項１乃至請求項７のいずれかに記載の通風体感装置における通風体感室と、天井、壁、床で囲まれた室内空間で室内に空調機が設けられた空調体感室とがそれぞれ前記緩衝室を介して出入り可能に配置なされていることを特徴とする涼感比較体感装置。
【請求項９】
前記通風体感室と、前記空調感室とが略同形状、同容積の空間となっていることを特徴とする請求項８記載の涼感比較体感装置。
【発明の詳細な説明】
【技術分野】
【０００１】
本発明は、室内における通風に近い状態を模擬体感できる通風体感装置、通風による涼感と空調による涼感とを比較できる涼感比較体感装置に関する。
【背景技術】
【０００２】
住宅等の室内での夏の暑さ対応としては、室内に冷房などの空調機を設けて室温を下げる方法と、室内に室外から空気を取り入れて空気の流れを作り通風により涼を感じる方法がある。
【０００３】
前者のような空調機により室温を下げる方法では、室内が室外に対して冷えすぎていわゆるクーラー病にかかったり、室内の場所の違いにより温度差が生じたり、空調機の噴出し口からの強い冷風により不快感を感じたりすることがある。そこで、省エネの観点からも、最近では後者のような通風による涼を感じる方法が見直されている。
通風を作り出す方法としては、例えば、住宅の壁面に開口部を設けると供に、住宅の屋根に天窓を設けて暑い室内の空気を上昇させ天窓から排出したり、天井付近に換気扇を設けて換気扇により排出させてたりして、開口部より外気を流入させることで住宅内に空気の流れを発生させる方法がある。
【０００４】
そして、上記のような住宅内に通風を発生させる原理を理解するための装置として、特許文献１に住宅模型の頂部付近に送風機を設け、その住宅模型内に煙を入れて、煙の流れを通じて住宅模型内の空気の流れを実感できるようにした装置が記載されている。
【特許文献１】特開第２０００−１２９８１１
【発明の開示】
【発明が解決しようとする課題】
【０００５】
しかし、上記特許文献１では住宅内でどのような空気の流れが起こっているのかを理解することはできるが、上記のような通風が発生した際に、どの程度の涼を感じることができるのかを体感することはできない。
そこで、本発明の目的は、室内における通風に近い状態を模擬体感できる通風体感装置、通風による涼感と空調による涼感とを比較できる涼感比較体感装置を提供することにある。
【課題を解決するための手段】
【０００６】
請求項１記載の発明の通風体感装置は、通風体感室、温湿度調整室、排気室を備える通風体感装置であって、前記通風体感室は、天井、壁、床で囲まれた室内空間であり、前記通風体感室内の対向する壁面に対して、それぞれ温湿度調整室と排気室が配置されており、温湿度調節室には空調機が設けられ、排気室には排気装置が設けられ、通風体感室と温湿度調整室との間の壁面には流入側開口部が、通風体感室と排気室との間の壁面には流出側開口部が設けられ、温湿度調整室で調整された空気が、流入側開口部を通り通風体感室へ移動し、更に流出側開口部を通り排気室に移動することが可能となっていることを特徴とする。
【０００７】
通風体感室の大きさとしては、人が入室できる大きさであれば良いが、少なくとも２畳以上の大きさを有し、天井高さが２１００ｍｍ以上であることが好ましい。また、形状については室内の隅角部が全て鈍角となっていることが、通風体感室内で空気が淀みにくくなるため好ましい。
【０００８】
また、通風体感室内の温湿度調整室と排気室とが対向して配置される壁面同士の間の距離としては、略１０００ｍｍ〜３６００ｍｍ離れたものとすることが、通風体感室にスムーズな空気の流れを作りやすいため好ましい。
【０００９】
請求項１記載の発明の構成によれば、排気室の排気装置を作動させることで、排気室内の空気が室外に排気され排気室内が負圧になる。そして排気室の負圧を補うため通気体感室内から流出側開口部を通って空気が排気室内へ移動する。今度は、通気体感室内が負圧になり、その負圧を補うため温湿度調整室内から流入側開口部を通って空気が通風体感室内へ移動する。したがって、温湿度調整室で調整された空気は、排気室の排気装置を作動させることにより、温湿度調整室から流入側開口部を通り通風体感室へ移動し、通風体感室から流出側開口部を通して排気室に移動し、排気装置により排出される。このことにより、通風体感室内には、空気の流れが室外から入ってくる自然の風のような流れを生じることになるため、通風体感室に人が入ることで、所定の通風による涼感がどの程度であるかを模擬体感することができる。
【００１０】
請求項２記載の発明の通風体感装置は、請求項１記載の通風体感装置であって、前記温湿度調整室に、流入側開口部から通風体感室に送風可能な送風機が設けられていることを特徴とする。
【００１１】
請求項２記載の発明によれば、温湿度調整室の送風機を作動させることで、温湿度調整室内の空気が通気体感室に送風されることで、通風体感室内が正圧になる。そして通気体感室の正圧を補うため通気体感室内から流出側開口部を通って空気が排気室内へ移動する。したがって、温湿度調整室で調整された空気は、温湿度調整室の送風機を作動させることにより、温湿度調整室から流入側開口部を通り通風体感室へ移動し、通風体感室から流出側開口部を通して排気室に移動する。このことにより、通風体感室内には、空気の流れが室外から入ってくる自然の風を模した流れとして制御されて生じるため、通風体感室に人が入ることで、より制御された所定の通風による涼感がどの程度であるかを模擬体感することができる。
【００１２】
請求項３記載の発明の通風体感装置は、請求項１又は２記載の発明の通風体感装置であって、前記温湿度調整室の温度が通風体感室の温度よりセ氏略１度〜５度程度低い温度に設定されていることを特徴とする
【００１３】
請求項３記載の発明の構成によれば、通常の住宅で室外から室内に吹き込む自然の風は、室温より略セ氏１度〜５度程度低い温度と言われており、温湿度調整室の温度をその条件に近い温度に調整することで、より自然の風に近い通風による涼感を体感がすることできる。
【００１４】
請求項４記載の発明の通風体感装置は、請求項１乃至請求項４のいずれかに記載の通風体感装置であって、前記流出側開口部が通風体感室の壁面の天井付近に設けられていることを特徴とする。
【００１５】
請求項４記載の発明の構成によれば、通気体感室内の天井近くに設けられた流出側開口部より排気室に移動することになるため、一般的に温度の高い空気が溜まり易い高い位置の空気から優先的に移動させることができるため、室温上昇を抑制できる。また、通気体感室内に住宅内の高い位置に天窓を設置した際と同様の上方へ流れる空気の流れを作り出すことができるため、実際の住宅に近い状態を再現することができる。
【００１６】
請求項５記載の発明の通風体感装置は、請求項１乃至請求項５のいずれかに記載の通風体感装置であって、前記流入側開口部が通風体感室の壁面の床面付近に設けられていることを特徴とする。
【００１７】
請求項５記載の発明の構成によれば、通気体感室の空気は、床面近くに設けられた流入側開口部より入るので、通気体感室内に住宅内の床面付近に配置される地窓等を設置した際と同様に下方から流れ込む空気の流れを作り出すことができ、実際の住宅に近い状態を再現することができる。
【００１８】
請求項６記載の発明の通風体感装置は、請求項１乃至請求項７のいずれかの通風体感装置であって、前記流入側開口部及び前記流出側開口部が、それぞれ通風体感室と温湿度調整室、通風体感室と排気室との間の壁面の幅方向の略全体に亘って設けられていることを特徴とする。
【００１９】
請求項６記載の発明の構成によれば、前記流入側開口部及び前記流出側開口部が、それぞれ通風体感室と温湿度調整室、通風体感室と排気室との間の壁面の幅方向の略全体に亘って設けられているので、通気体感室内を流れる空気量を多くすることができる。また、通風体感室内の空気の流れに位置によるムラが生じにくくなり、通風体感室内のどの位置であっても通風による涼感を体感し易くなる。
【００２０】
請求項７記載の発明の通風体感装置は、請求項１乃至請求項８のいずれかに記載の通風体感装置であって、前記通風体感室が、通風体感室と略同一の温湿度になされた緩衝室を介して出入りするようになされていることを特徴とする。
【００２１】
請求項７記載の発明の構成によれば、通風体感室と略同一の温湿度になされた緩衝室を介して出入りするので、緩衝室が通気体感室内の空気と他の温湿度の空気とが混ざることを抑制でき、人の出入り等により通風体感室の温湿度が変化することを抑制することができる。
【００２２】
請求項８記載の発明の涼感比較体感装置は、請求項１乃至請求項７のいずれかに記載の通風体感装置における通風体感室と、天井、壁、床で囲まれた室内空間で室内に空調機が設けられた空調体感室とがそれぞれ前記緩衝室を介して出入り可能に配置なされていることを特徴とする。
【００２３】
請求項８記載の発明によれば、請求項１乃至請求項７のいずれかに記載の通風体感装置における通風体感室と空調設備が設けられた空調体感室が併設されるため、通風体感室での自然の風を模した通風より感じる涼感と空調体感室での直接空調機により冷やされた際の涼感とを較べながら体感することができる。
【００２４】
請求項９記載の発明の涼感比較体感装置は、請求項８記載の涼感比較体感装置であって、前記通風体感室と、前記空調感室とが略同形状、同容積の空間となっていることを特徴とする。
【００２５】
請求項９記載の発明の構成によれば、通風体感室と空調体感室とが略同形状、同容積の空間であるため、条件が揃い比較を行い易くなり、それぞれの体感室の相違である自然の風を模した通風による涼感と空調機により冷やされた際の涼感の違いを明確に体感することができる。
【発明の効果】
【００２６】
請求項１記載の発明では、排気室の排気装置を作動させることで、排気室内の空気が室外に排気され排気室内が負圧になる。そして排気室の負圧を補うため通気体感室内から流出側開口部を通って空気が排気室内へ移動する。今度は、通気体感室内が負圧になり、その負圧を補うため温湿度調整室内から流入側開口部を通って空気が通風体感室内へ移動する。したがって、温湿度調整室で調整された空気は、排気室の排気装置を作動させることにより、温湿度調整室から流入側開口部を通り通風体感室へ移動し、通風体感室から流出側開口部を通して排気室に移動し、排気装置により排出される。このことにより、通風体感室内には、空気の流れが室外から入ってくる自然の風のような流れを生じることになるため、通風体感室に人が入ることで、所定の通風による涼感がどの程度であるかを模擬体感することができる。
【００２７】
請求項２記載の発明では、温湿度調整室の送風機を作動させることで、温湿度調整室内の空気が通気体感室に送風されることで、通風体感室内が正圧になる。そして通気体感室の正圧を補うため通気体感室内から流出側開口部を通って空気が排気室内へ移動する。したがって、温湿度調整室で調整された空気は、温湿度調整室の送風機を作動させることにより、温湿度調整室から流入側開口部を通り通風体感室へ移動し、通風体感室から流出側開口部を通して排気室に移動する。このことにより、通風体感室内には、空気の流れが室外から入ってくる自然の風を模した流れとして制御されて生じるため、通風体感室に人が入ることで、より制御された所定の通風による涼感がどの程度であるかを模擬体感することができる。
【００２８】
請求項３記載の発明では、通常の住宅で室外から室内に吹き込む自然の風は、室温より略セ氏１度〜５度程度低い温度と言われており、温湿度調整室の温度をその条件に近い温度に調整することで、より自然の風に近い通風による涼感を体感がすることできる。
【００２９】
請求項４記載の発明では、通気体感室内の天井近くに設けられた流出側開口部より排気室に移動することになるため、一般的に温度の高い空気が溜まり易い高い位置の空気から優先的に移動させることができるため、室温上昇を抑制できる。また、通気体感室内に住宅内の高い位置に天窓を設置した際と同様の上方へ流れる空気の流れを作り出すことができるため、実際の住宅に近い状態を再現することができる。
【００３０】
請求項５記載の発明では、通気体感室の空気は、床面近くに設けられた流入側開口部より入るので、通気体感室内に住宅内の床面付近に配置される地窓等を設置した際と同様に下方から流れ込む空気の流れを作り出すことができ、実際の住宅に近い状態を再現することができる。
【００３１】
請求項６記載の発明では、前記流入側開口部及び前記流出側開口部が、それぞれ通風体感室と温湿度調整室、通風体感室と排気室との間の壁面の幅方向の略全体に亘って設けられているので、通気体感室内を流れる空気量を多くすることができる。また、通風体感室内の空気の流れに位置によるムラが生じにくくなり、通風体感室内のどの位置であっても通風による涼感を体感し易くなる。
【００３２】
請求項７記載の発明では、通風体感室と略同一の温湿度になされた緩衝室を介して出入りするので、緩衝室が通気体感室内の空気と他の温湿度の空気とが混ざることを抑制でき、人の出入り等により通風体感室の温湿度が変化することを抑制することができる。
【００３３】
請求項８記載の発明では、請求項１乃至請求項７のいずれかに記載の通風体感装置における通風体感室と空調設備が設けられた空調体感室が併設されるため、通風体感室での自然の風を模した通風より感じる涼感と空調体感室での直接空調機により冷やされた際の涼感とを較べながら体感することができる。
【００３４】
請求項９記載の発明では、通風体感室と空調体感室とが略同形状、同容積の空間であるため、条件が揃い比較を行い易くなり、それぞれの体感室の相違である自然の風を模した通風による涼感と空調機により冷やされた際の涼感の違いを明確に体感することができる。
【発明を実施するための最良の形態】
【００３５】
以下、本発明の実施の形態を図面に基づいて説明をする。
【実施例１】
【００３６】
実施例１は請求項１乃至１１記載の発明の実施の形態であり、図１乃至図７に基づいて説明をする。図１は本発明の実施例１の通風体感装置及び涼感比較体感装置の平面図を、図２は本発明の実施例１の通風体感装置の斜視図を、図３は本発明の実施例１の通風体感装置の流出側開口部の側面図を、図４は本発明の実施例１の通風体感装置の流入側開口部の側面図を、図５は本発明の実施例１の通風体感装置の流出側開口部又は流入側開口部の他の例の側面図を示す。図６及び図７は実施例１の涼感比較体感装置の温湿度の設定例を示す。
【００３７】
通風体感装置Ａは、通風体感室１、温湿度調整室２、排気室３により構成されている。
涼感比較体感装置Ｂは、通風体感室１と、空調機１５が設けられた空調体感室５と、通風体感室１と空調体感室５の間に設けられた緩衝室６から構成されている。
【００３８】
通風体感室１は、天井、壁、床で囲まれた部屋であって、平面が短辺１８００ｍｍ、長辺２７００ｍｍの長方形で、天井高さが２４００ｍｍとなっており、人が入るのに十分な大きさが確保されたものとなっている。また、短辺側の壁面に室外と出入可能な出入口１２（幅約８００ｍｍ、高さ１８００ｍｍ）が設けられている。天井は図示しない天井根太の下部に石膏ボードを貼り付けた構成になっており、クロス仕上げがなされている。また、壁面も間柱に石膏ボードを貼り付けた構成になっており、クロス仕上げがなされている。床面は床根太の上部にパーチクルボードが貼り付けられ、フローリング仕上げとなされている。
【００３９】
通風体感室１内の長辺側に対向する壁面９２側には温湿度調整室２が、壁面９３側には排気室３が配置されている。通風体感室１の壁面の床面より略１０００ｍｍの辺りには、室内の温湿度を感知するセンサが設けられ、後述する温湿度調整室２の空調機７に連動されている。
【００４０】
温湿度調整室２は、温湿度調整室２の室容積としては、通風体感室へ一定の温室度の空気を送ることが可能な大きさである平面が短辺９００ｍｍ、長辺２７００ｍｍの長方形で、天井高さが２４００ｍｍとなっており、温湿度調整室２の長辺側で通風体感室１に接した配置となっている。また、温湿度調節室２の天井付近には前述の通気体感室１に設けられたセンサに連動して温度と湿度を調整可能な冷房機能を有する空調機７が設けられている。空調機７の操作は通風体感室１より行えるようになっている。そして、温湿度調整室２内の温湿度を一定に保つことができるように空調機７に連動したセンサが設けられ、温湿度調整室２内の位置による温湿度のばらつきを抑制するためにサーキュレータが設けられている。
また、温湿度調整室２内から後述する流入側開口部１１を介して通風体感室１に送風可能な送風機１６が設けられている。
【００４１】
排気室３は、平面が短辺４５０ｍｍ、長辺２７００ｍｍの長方形で、天井高さが２４００ｍｍであり、排気室３の長辺側で通風体感室１に接した配置となっている。また、天井面には排気量を調整可能な排気装置８が２ヶ設けられている。排気装置８の操作は通風体感室１より行えるようになっている。
また、排気が効率よく行うことができるように、天井面を排気装置８に向かって傾斜させた構成となっている。排気室３の排気装置８で排気された空気は、図示しないダクトを通り温湿度調整室２に送られている。
【００４２】
通風体感室１と温湿度調整室２との間の壁面９２には流入側開口部１０が、通風体感室１と排気室３との間の壁面９３には流出側開口部１１が設けられている。
【００４３】
流入側開口部１０は図３に示すように、壁面９２の床面付近に壁面９２の幅方向の略全体に亘って設けられている。流出側開口部１１は図４に示すように、壁面９３の天井付近に壁面９３の幅方向の略全体に亘って設けられている。なお、流入側開口部１０及び流出側開口部１１にはメッシュ状の金網がはめ込まれている。メッシュ状にすることで、各開口部から均等な空気の流れを作ることができ、通風体感室に出入りする空気の量のばらつきを抑えることができる。
【００４４】
空調体感室５は、天井、壁、床で囲まれた部屋であって通風体感室１と略同形状、同容積の平面が短辺１８００ｍｍ、長辺２７００ｍｍの長方形で、天井高さが２４００ｍｍとなっており、人が入るのに十分な大きさが確保されたものとなっている。また、短辺側の壁面に室外と出入可能な出入口１３（幅約８００ｍｍ、高さ１８００ｍｍ）が設けられている。天井は図示しない天井根太の下部に石膏ボードを貼り付けた構成になっており、クロス仕上げがされている。また、壁面も間柱に石膏ボードを貼り付けた構成になっており、クロス仕上げがされおり、出入口等以外の開口部は得に設けられていない。床面は床根太の上部にパーチクルボードが貼り付けられ、フローリング仕上げとされている。
また、空調体感室５の壁面には、温度と湿度を調整可能な冷房機能を有する空調機１５が設けられている。
【００４５】
通風体感室１と空調体感室５の間には、緩衝室６が配置されている。緩衝室６は、平面が短辺９００ｍｍ、長辺１８００ｍｍの長方形で、天井高さが２４００ｍｍであり、長辺でそれぞれ第一体感室４の通風体感室１と空調体感室５に接する配置となっている。この緩衝室６を介して出入口１２より通風体感室１へ出入りが可能となっており、出入口１３により空調体感室へ出入りが可能となっている。また、緩衝室３には涼感比較体感装置Ｂの外より出入するための出入口１４（幅約８００ｍｍ、高さ１８００ｍｍ）が設けられている。緩衝室６は、通風体感室１内及び空調体感室５内の温室度が室外の温湿度差により急激な変化をおこさないように、それぞれの室と同程度の温室度になるように空調機等により温湿度が調整されている。
【００４６】
また、涼感比較体感装置Ｂ及び通風体感装置Ａには適宜熱交換型の換気設備が設けられ、涼感比較体感装置Ｂ及び通風体感装置Ａ全体として、換気回数０．５回／ｈとなるように調整されている。
【００４７】
通風体感装置Ａの作用と作用効果について説明する。
通風体感装置Ａ内には、出入口１４より緩衝室６を介して出入口１３より通風体感室１に入室する。通風体感室１内の操作盤を使用して温湿度調整室２の空調機７を作動させ、温湿度調整室２の室温を通風体感室の室温よりセ氏１〜５度程度低く、湿度を通風体感室１と同程度になるように調整する。温室度調整室２内の温室度の調整が完了した状態で、通風体感室１内の操作盤を使用して、排気室３の排気装置８を作動させて排気室３内の空気を排気する。
【００４８】
以上の操作により、まず排気室３内の空気が排気装置８を介して室外に排気されることで、排気室３内が負圧になるため、通気体感室１内から流出側開口部１０を通って空気が排気室３内へ移動する。今度は、通気体感室１内が負圧になり、温湿度調整室２内から流入側開口部１１を通って空気が通風体感室１内へ移動する。今度は、温湿度調整室２も負圧になるため、排気室３の排気装置８から排気された空気が図示しないダクトを介して、温湿度調整室２に供給される。
【００４９】
このことにより、温湿度調整室２で調整された空気が、流入側開口部１１を通り通風体感室１へ移動し、更に流出側開口部１０を通り排気室３に移動することとなる。つまり、通風体感室１内では、流入側開口部１１から流出側開口部１０に至る空気の流れが発生するので、通風体感室１に入室することで自然の風に近い流れの通風による涼感を体感することができる。なお、通風体感室１内の空気の流れが風速０．７〜１．０ｍ／ｓ程度になるように、排気装置８の排気量等を調整すると自然の風に近い状態となる。
【００５０】
更に、通風体感室１は、流入側開口部１１が床面付近にあり、流出側開口部１０が天井付近にあるため通風体感室１の空気の流れは、下方から上方に流れるものとなり、住宅内で利用される地窓から天窓に流れる自然な風の経路に似た状態を再現することができる。また、通気体感室１内の中央付近に立つとちょうど顔や首あたりの肌が露出したあたりを通る空気の流れになるため、涼感を体感し易くなる。
【００５１】
流入側開口部１１及び流出側開口部１０が、それぞれ通風体感室１と温湿度調整室２、通風体感室１と排気室３との間の壁面の幅方向の略全体に亘って設けられているので、通気体感室１内を流れる空気量を多くすることができ、また通風体感室１内の空気の流れにムラが生じにくくなる。よって、通風体感室１内のどの位置であっても涼感を体感することができる。
【００５２】
また、温室度調整室２の送風機１６を使用すると、温湿度調整室２内の空気が通気体感室１に送風されることで、通風体感室１内が正圧になる。そして通気体感室１の正圧を補うため通気体感室１内から流出側開口部１０を通って空気が排気室３内へ移動する。したがって、温湿度調整室２で調整された空気は、温湿度調整室２の送風機を作動させることにより、温湿度調整室２から流入側開口部１１を通り通風体感室１へ移動し、通風体感室１から流出側開口部１１を通して排気室３に移動する。このことにより、通風体感室１内には、室外から入ってくる自然の風のような流れを生じるため、通風体感室１に人が入ることで、通風よる涼感がどの程度であるかを模擬体感することができる。
【００５３】
次に、涼感比較体感装置Ｂの作用と作用効果について説明する。
【００５４】
空調体感室５では、空調機１５により直接室内が調整される（冷やされる）ので、通常の住宅内での空調機を使用した涼感を体感することができる。
涼感比較体感装置Ｂでは通気体感室１と空調体感室５とが、緩衝室６を介して出入り可能となっているので、通気体感室１での自然の風に近い空気の流れによる涼感と、空調体感室での空調機１５により直接室内が調整される（冷やされる）際の涼感とを比較して体感できるものとなっている。
【００５５】
そして、通風体感室１と空調体感室５とが略同形状、同容積の空間であるため、両室の条件が揃い比較を行い易くなり、それぞれの体感室の相違である自然の風に近い通風による涼感と空調機により冷やされた際の涼感の違いを明確に体感することができる。
【００５６】
緩衝室６は、通風体感室１と空調体感室５と同程度の温室度になるように温湿度が調整されているので、通風体感室１内及び空調体感室５内の温室度が、人の出入りにより室外の温湿度と異なる空気と混ざることを抑制し、それぞれの室内の温湿度の変化を抑制することができる。
【００５７】
次に、涼感比較体感装置Ｂの各室の温湿度設定の例を示す。
【００５８】
例１としては、図６に示すように、通風体感室１の温度をセ氏２８〜２９度、湿度を５０％程度とし、温湿度調整室２の温度をセ氏２６度程度に調整し、緩衝室６の温度を通風体感室１と同様にセ氏２８〜２９度、湿度を５０％程度とし、空調体感室５の温度をセ氏２８〜２９度、湿度を５０％程度とする。
【００５９】
この温湿度の設定を用いると、空調体感室５内は通常の住宅内で空調機により冷やされた部屋の温湿度に近い環境になり、通風体感室１と比較して体感することで、空調機により冷やされた涼感と通風による涼感を比較することができる。
【００６０】
例２としては、図７に示すように、通風体感室１の温度をセ氏３０度、湿度を５０％程度とし、温湿度調整室２の温度をセ氏２８度程度に調整し、緩衝室６の温度を通風体感室１と同様にセ氏３０度、湿度を５０％とし、空調体感室５の温度をセ氏３５度、湿度を４０％とする。
【００６１】
この温湿度の設定を用いると、空調体感室５内は通風のない玄関等の温湿度に近い環境になり帰宅時等の環境を体感でき、通風体感室１と比較して体感することで、通風無しと通風有りの場合の環境を比較することができる。
【００６２】
以上、本発明の実施例１を説明したが、本発明は前記実施例に限定されるものではなく、例えば、各部屋の形状、容積等が異なるものや、各開口部の形状を例えば図５のようにドア形状としたものや開口の幅等を変更可能なものとしたものなど、本発明の要旨を逸脱しない範囲の設計変更があっても本発明に含まれるのは勿論である。なお、図５のようなドア形状に近いものとすると、通気体感室内の空気の流れにばらつきが生じ易くなるが、通常の住宅内でのドア等を通して出入りする空気の流れを体感することが可能となる。
【産業上の利用可能性】
【００６３】
室内における通風に近い状態を模擬体感できる通風体感装置、通風による涼感と空調による涼感とを比較できる涼感比較体感装置
【図面の簡単な説明】
【００６４】
【図１】本発明の実施例１の通風体感装置及び涼感比較体感装置の平面図を示す。
【図２】本発明の実施例１の通風体感装置の斜視図を示す。
【図３】本発明の実施例１の通風体感装置の流出側開口部の側面図を示す。
【図４】本発明の実施例１の通風体感装置の流入側開口部の側面図を示す。
【図５】本発明の実施例１の通風体感装置の流出側開口部又は流入側開口部の他の例の側面図を示す。
【図６】実施例１の涼感比較体感装置Ｂの温湿度の設定例を示す。
【図７】実施例１の涼感比較体感装置Ｂの温湿度の設定例を示す。
【符号の説明】
【００６５】
Ａ                通風体感装置
Ｂ                涼感比較体感装置
１                通風体感室
２                温湿度体感装置
３                排気室
５                空調体感室
６                緩衝室
７、１５          空調機
８                排気装置
９２、９３、９６  壁面
１０              流出側開口部
１１              流入側開口部
１２、１３、１４  出入口
１６              送風機
【図１】
2008089786.tif 000003
【図２】
2008089786.tif 000004
【図３】
2008089786.tif 000005
【図４】
2008089786.tif 000006
【図５】
2008089786.tif 000007
【図６】
2008089786.tif 000008
【図７】
2008089786.tif 000009